(57)【特許請求の範囲】
【請求項１】
内釜を加熱する加熱手段が内部に設けられ、前記内釜を着脱可能に装着した本体と、該本体の上部を開閉する蓋体と、前記本体の上部に設けられ、ヒンジ軸を回動軸として前記蓋体を開蓋方向に付勢するヒンジバネを有するヒンジ機構と、該ヒンジ機構と対向する側に設けた操作手段によりラッチを係合離脱させて蓋体を開閉するラッチ機構を備え、
前記蓋体に前記ヒンジバネの一端を係止するための突片を設け、該突片が、端部を開口したＬ字形又は渦巻き形の挿入溝を有し、該挿入溝の前記端部の開口から前記ヒンジバネの一端が挿入されて係止されることを特徴とする炊飯器。
【発明の詳細な説明】
【０００１】
【産業上の利用分野】
本発明は炊飯器に係わり、特に、閉じられた蓋体を本体に係止するラッチ機構やラッチ機構を解除すると蓋体がヒンジ軸を支点に回動して自動的に開放されるヒンジ機構の構造に関するものである。
【０００２】
【従来の技術】
図１１乃至図１４は従来の炊飯器を示すものであり、図において、１は炊飯器、２はケースの本体、２a は本体２の枠板、３は蓋体、３a は蓋枠、３b は外蓋、３c は蓋パッキン、３d は反射板である。４は外釜、５は遮熱板、６は内釜、６a は内釜６の水平方向に伸びたフランジ部、７は炊飯ヒータ、８は温度センサ、９はコードリールである。１０はラッチ機構、１０a は押し釦、１０b は掛け金、１０c はスプリングである。スプリング１０c は押し釦１０を本体２の側面に露出させ、掛け金１０b を蓋枠３a に係止させる。
【０００３】
２０はヒンジ機構（図１２）、２０a はヒンジ軸、２０b は中空軸、２０c はヒンジバネ、２０d は金属の受け板、２０e は固定ネジで、これらは対構造に作られている。受け板２０d は鍵形に折り曲げられて水平部が固定ネジ２０e で固定されて、底面がヒンジバネ２０c のバネ受けになっている。また、垂直部の先端の切欠き２０f は、中空軸２０b の溝２０g に係合して移動を規制している。２０h は円弧部２０i を形成した円弧軸受け、２０j はスタッド軸受け、２０k は４個の固定軸受けである。円弧軸受け２０h とスタッド軸受け２０j は蓋体３側に設けられ、固定軸受け２０k は本体２側に形成されている。図１５の３０は制動機構である。３０a は装着孔、３０b はネジ孔、３０c は調節ネジ、３０d は可動片、３０e は調節バネ、３０f は押圧片である。
【０００４】
上記のような構成の炊飯器において、炊飯ヒータ７の発熱によって内釜６が加熱される。内釜６の加熱で内部の水が沸騰し、水がなくなると温度が急激に上昇して炊飯温度に達してから御飯が炊き上げられる。御飯が炊き上げられてラッチ機構１０の押し釦１０a を押すと掛け金１０b が外れ、ヒンジバネ２０c により蓋体３がヒンジ軸２０a を支点に回転して自動的に開放される。このとき、蓋体３の回転に連れて円弧軸受け２０h も同方向に回転し、円弧部２０i が制動機構３０の調節バネ３０e に逆らって押し付ける。円弧部２０i の押付け力は回転角に比例して強くなって、蓋体３の急激な開放が抑制される。
【０００５】
また、図１４に要部の拡大断面図が示されている。図１４で図１１乃至図１３に対応する部分は同様の動作と同様の機能を果たすので、同じ符号を付して再説明は省略する。なお、３e は内蓋である。
【０００６】
【発明が解決しようとする課題】
以上のように、ヒンジ機構２０には、金属板を折り曲げた複雑な一対の受け板２０d やこの受け板２０d を固定する固定ネジ２０e 等が用いられている。したがって、蓋体３の全体の重さも重くなって、重量に見合ったバネ定数の大きいヒンジバネ２０c を用いる必要に迫られる恐れがある。しかも、部品点数も増えて、それだけ炊飯器を製作する為の工数が増加してコスト高になる等の問題点があった。
【０００７】
この発明は上記のような問題点を解消するためになされたもので、構造が簡単なヒンジ機構を備え組立性が容易で全体の製作費が安価な炊飯器を実現することを目的とするものである。
【０００８】
【課題を解決するための手段】
この発明は、内釜を加熱する加熱手段が内部に設けられ、前記内釜を着脱可能に装着した本体と、該本体の上部を開閉する蓋体と、前記本体の上部に設けられ、ヒンジ軸を回動軸として前記蓋体を開蓋方向に付勢するヒンジバネを有するヒンジ機構と、該ヒンジ機構と対向する側に設けた操作手段によりラッチを係合離脱させて蓋体を開閉するラッチ機構を備え、
前記蓋体に前記ヒンジバネの一端を係止するための突片を設け、該突片が、端部を開口したＬ字形又は渦巻き形の挿入溝を有し、該挿入溝の前記端部の開口から前記ヒンジバネの一端が挿入されて係止されるものである。
【０００９】
【作用】
ヒンジ軸から延設したヒンジバネの一端を本体側に係止し、他端を蓋体に設けた係止部の開口部より挿入し、ヒンジバネの反発トルクにより係止溝の上端に係止する。
【００１０】
【実施例】
実施例１
図１は本発明実施例の炊飯器の構成説明図である。本発明実施例において、従来の炊飯器と同じ部分に同一符号を付したものもあるが、構造と動作において相違するものもあるので、一部重複するが少し詳しく説明する。
【００１１】
図１において、１は炊飯器、２はケースの本体、２a は本体２の枠板である。３は本体２の上部を覆う蓋体である。蓋体３は蓋枠３a と外蓋３b とを備え、蓋枠３a の上部に外蓋３b が取り付けられている。３c は蓋パッキン、３d は反射板、３e は内蓋、３f は蒸気筒である。蓋パッキン３c は耐熱性の弾性体で環状に作られていて、蓋枠３a の溝に挿入されて反射板３d の周縁部で押し付けられて蓋枠３a に固定されている。また、内蓋３e は取り外し自在に、反射板３d の下側に装着される。
【００１２】
４は本体２の内部に取り付けられた外釜、５は遮熱板、６は内釜である。外釜４と本体２との隙間の上部は、枠板２a で覆われている。内釜６は外釜４の内部で枠板２a にフランジ部６a が載置され、本体２に取出し自在に収納される。内釜６の開放端は図２にも示すように２段に折り曲げられ、先端のフランジ部６a は斜め上方に張出して内側が低く傾いた傾斜面６b が形成されている。内釜６のフランジ部６a は蓋体３が閉められているときに蓋パッキン３c に圧接して、蒸気が洩れないようになっている。また、内釜６内には米の容量に対して適量な水量を示す標準的な水位線が刻設され、炊飯時の便に供されている。７は炊飯ヒータ、８は温度センサ、９はコードリールである。１０は蓋体３を開閉するラッチ機構である。
【００１３】
ラッチ機構１０の構造が、図３に拡大して示されている。１１はラッチ機構１０のラッチ釦、１２は釦バネ、１３は釦軸である。なお、図１ではラッチ釦１１が本体２の側面に露出して図示されているが、基本的には凹部２b に設けた図３の構造が採用される。１４はラッチ、１５は突起、１６はラッチバネ、１７はラッチ軸である。釦バネ１２は本体２と釦軸１３との間に懸張されて、ラッチ釦１１に下に引っ張るバネ圧を加える。また、ラッチバネ１６はラッチ軸１７に巻き回され、巻き込まれた螺旋の両端が枠板２a と突起１５に係止されてラッチ１４にラッチ軸１７を中心に反時計方向の力を加えている。そして、蓋体３の閉止状態では、ラッチ１４の鉤形部が蓋枠３a の折曲部に引っ掛かって蓋体３をロックしている。
【００１４】
図４に蓋体３を構成する蓋枠３a ，外蓋３b と内釜６及び本体２の枠板２a の各斜視図が示されている。枠板２a と蓋枠３a 及び外蓋３b は、いずれも合成樹脂で図示のように成型されている。また、図５はヒンジ機構２０とこのヒンジ機構２０に付随する制動機構３０の分解斜視図である。図示のように、前述の図１２及び図１３と同様に２箇所で蓋体３を本体２上に支持する対構造の構成になっている。
【００１５】
図４と図５において、２１はヒンジ軸、２２は中空軸、２３はヒンジバネである。本発明の実施例では前記と異なり鍵形に折り曲げた金属板の受け板２０d は省略され、中空軸２０b にも溝２０g が設けられていない。２４は受け板２０d に代わるバネ受けで、蓋枠３a の背面側に設けられ、ヒンジバネ２３を蓋枠３ａに係止するものである。２４a はバネ受け２４を構成する平行な２つの突片、２４b は突片２４a に形成され端部を開口したＬ字溝である。
【００１６】
左右のヒンジバネ２３の螺旋部には中空軸２２が挿入されて枠板２a に設けられた装着部２０A にセットされ、矢印のように２本のヒンジ軸２１が内側から挿通される（図５）。そして、下に伸びたヒンジバネ２３の一端は本体２側に係止されて螺旋部が巻き込まれてから、他端が横からＬ字溝２４b に差し込まれる。巻き込まれたヒンジバネ２３により、常時蓋体３に開放させる方向のトルクが与えられる。
【００１７】
制動機構３０は本発明でも蓋枠３a の背面側に設けられ蓋体３と一体にヒンジ軸２１を支点に回転する円弧軸受け３１の変位が、制動作用に利用される。ただし、ここでは円弧軸受け３１の円弧部３１a が、最初は幅が狭く蓋体３の回転角が大きさに応じて徐々に広くなる台形状に形成されている（図７参照）。３２は２組のローラ、３３はローラ軸である。ローラ３２は弾性体で作られて枠板２a の装着部３０A にセットされて、共に横からローラ軸３３が挿通されて枠板２a に取り付けられる。装着部３０A に取付けられた２組のローラ３２は、それぞれ蓋体３側の円弧軸受け３１に対向するようになっている（図７参照）。
【００１８】
図１において、４０は蓋体３に取付けられた操作部、４１は操作部４０における操作シートである。４３はカバー、４４はプリント基板、４５はプリント基板４４上に取り付けられた表示器等の回路素子、４６はプリント基板４４から導出された複数のリード線である。カバー４３は蓋体３に形成された隔壁に圧接して、内部のプリント基板４４等を密閉して収容する。
【００１９】
このような構成の本発明の炊飯器の動作を、次に説明する。
内釜６に研いだ米と指示された適量の水を入れて、内蓋３e を被せて蓋体３を閉める。次に、コードリール９を引き出して、プラグを100Vの電源のコンセントに接続する。蓋体３の表面の操作部４０の表示を見ながら、操作シート４１を操作して食事の時刻を予約設定する。予約した食事の時刻に対応する炊飯の開始時刻になると、マイコンのタイマが働いてスイッチが入り炊飯ヒータ７が通電する。通電で炊飯ヒータ７が発熱して、内釜６の内部の水と米を下から加熱する。
【００２０】
炊飯ヒータ７の加熱によって炊飯が始まり、内釜６内の水の温度が上昇して蒸気が発生する。炊飯が進んで水が沸騰し内釜６の水分が少なくなって温度が急激に上昇すると、温度センサ８が働いて炊飯ヒータ７の通電が自動的に停止される。この結果、米が内釜６内で炊き上がり、予約した時刻に御飯が炊けて盛り付けが始められることになる。
【００２１】
ここで、本体２の側面の凹部２b に設けたラッチ釦１１をラッチバネ１６に抗して押し付けると、ラッチ１４の鉤形部がラッチ軸１７を中心に時計方向に回動して蓋枠３a の折曲部から外れる。蓋体３には常時ヒンジバネ２３のバネ圧が与えられているので、自由になった蓋体３が上方（ここでは時計方向）に回動する。蓋体３の開放が開始して或る角度まで開くと、円弧軸受け３１が制動機構３０の２つのローラ３２の間に割り込み始める。
【００２２】
このため、ヒンジバネ２３のバネ圧を受けて開放される蓋体３にブレーキが掛り、蓋体３がゆっくり回動する。円弧軸受け３１の円弧部３１a が台形状に形成されて回転に連れて割込み深度が深くなり、蓋体３が全開される９５度に近付くほど開放速度が緩慢になる。よって、蓋体３の開放に基づくショックが和らげられ、本体２の動揺が防止される。このときの円弧軸受け３１と一対のローラ３２の相対的な関係が、図６乃至図９に示されている。図６と７は円弧軸受け３１の割込みの初期を示し、図８と図９に割込みの終期の状態が示されている。
【００２３】
盛り付けが終って全開の蓋体３の開放端に反時計方向の力を加えれば、蓋体３がヒンジ軸２１を中心に同方向に回動する。そして、蓋枠３a の折曲部がラッチ１４に係止されて、図１及び図３に示す状態に戻って蓋体３がロックされて本体２の上部が閉鎖される。
【００２４】
一方、炊飯中に発生する水蒸気や水の沸騰に伴って、蒸気が内釜６内に発生する。発生した蒸気の大部分は蒸気筒３f から大気に開放される。上昇した一部の蒸気は内蓋３e を押し上げて図１０に示すように、内蓋３e の周辺の隙間から蓋パッキン３c の付近にまで侵入する。侵入した蒸気は蓋パッキン３c や反射板３d に付着し、多量の水滴になって内釜６の方向に落下する。そして、落下した水滴はフランジ部６a の傾斜面６b に沿って流下し、内釜６の内部に流れ込んで外部への流出が防止される。
【００２５】
なお、上述の実施例では炊飯ヒータを発熱して、輻射熱で内釜を加熱して炊飯する電熱形の炊飯器を例示して説明したが、加熱コイルの電磁誘導作用で釜を発熱させる誘導加熱形の炊飯器にも本発明を適用することができる。また、図５では、ヒンジバネ２３の端部をＬ字溝２４b に横から挿入する構成で説明したが、突片２４a に渦巻き形の挿入溝を設けて、この挿入溝にヒンジバネ２３の端部を差し込んでもよく、要するにヒンジバネ２３の端部が係止される開放形の係止溝であれば必ずしもＬ字形に限られるものではない。
【００２６】
【発明の効果】
この発明に係る炊飯器は、蓋体にヒンジバネの一端を係止するための突片を設け、突片が、端部を開口したＬ字形又は渦巻き形の挿入溝を有し、挿入溝の端部の開口からヒンジバネの一端が挿入されて係止されるようにしたので、ヒンジバネの受け板を必要とせず、またヒンジバネの着脱が容易となり部品点数が少なく炊飯器を製作する為の工数が削減され製作費が安価となる。
【図面の簡単な説明】
【図１】本発明実施例の炊飯器の構成説明図である。
【図２】図１の内釜の構成を示す側面図である。
【図３】図１のラッチ機構の断面図である。
【図４】図１の蓋体等の斜視図である。
【図５】図１のヒンジ機構と制動機構の分解斜視図である。
【図６】制動機構の動作を示す側面図である。
【図７】制動機構の動作を示す正面図である。
【図８】制動機構の動作を示す別の側面図である。
【図９】制動機構の動作を示す別の正面図である。
【図１０】炊飯中の動作を示す断面図である。
【図１１】従来の炊飯器の構成説明図である。
【図１２】図１１のヒンジ機構の分解斜視図である。
【図１３】図１１の制動機構の断面図である。
【図１４】従来の炊飯器の要部の拡大断面図である。
【符号の説明】
１  炊飯器
２  ケースの本体
２a   枠板
３  蓋体
３a   蓋枠
３b   外蓋
３c   蓋パッキン
３d   反射板
３e   内蓋
３f   蒸気筒
６  内釜
６a   フランジ部
６b   傾斜面
１０  ラッチ機構
１１  ラッチ釦
１２  釦バネ
１３  釦軸
１４  ラッチ
１６  ラッチバネ
１７  ラッチ軸
１８  ダイヤル
２０  ヒンジ機構
２１  ヒンジ軸
２２  中空軸
２３  ヒンジバネ
２４  バネ受け
２４a   突片
２４b   Ｌ字溝
３０  制動機構
３１  円弧軸受け
３１a   円弧部
３２  ローラ
３３  ローラ軸
３４  弾性体
３４a   突出部
【図１】
0003774840.tif 000002
【図２】
0003774840.tif 000003
【図３】
0003774840.tif 000004
【図４】
0003774840.tif 000005
【図５】
0003774840.tif 000006
【図６】
0003774840.tif 000007
【図７】
0003774840.tif 000008
【図８】
0003774840.tif 000009
【図９】
0003774840.tif 000010
【図１０】
0003774840.tif 000011
【図１１】
0003774840.tif 000012
【図１２】
0003774840.tif 000013
【図１３】
0003774840.tif 000014
【図１４】
0003774840.tif 000015